(57)【特許請求の範囲】
【請求項１】
記憶手段に固有情報が予め登録された携帯機との間の無線通信に基づいて、ドアの施解錠を制御するドア錠制御装置であって、
携帯機を登録する際に行われる所定の登録操作を検知する検知手段と、
該検知手段により前記登録操作が検知されたとき、登録対象である携帯機の固有情報を同携帯機との間の無線通信を通じて取得して、この取得した固有情報を前記記憶手段に記憶する登録手段とを備え、
登録対象である携帯機は、新規登録携帯機と登録済み携帯機とであり、
該登録手段は、今回の登録対象である携帯機としての新規登録携帯機と登録済み携帯機との固有情報と、前記記憶手段に登録されている前回の登録済み携帯機の固有情報とを同時に比較し、登録対象である携帯機に前記登録済み携帯機が含まれている場合にのみ、前回の登録済み携帯機の固有情報を消去すると共に、今回の登録対象である携帯機の固有情報を前記記憶手段に記憶することを特徴とするドア錠制御装置。
【請求項２】
今回の登録対象である携帯機に前回の登録済み携帯機が含まれていない場合に携帯機を登録する際に行われる強制登録操作を検知し、該強制登録操作を検知した場合は、今回の登録対象である携帯機に前記登録済み携帯機が含まれているか否かに関わらず、登録対象である携帯機の固有情報を前記記憶手段に登録する強制登録手段をさらに備えることを特徴とする請求項１に記載のドア錠制御装置。
【請求項３】
前回の登録済み携帯機による前記ドアの施解錠を禁止する際に行われる禁止操作を検知するとともに、該禁止操作を検知した場合は、前記記憶手段に記憶されている前記登録済み携帯機の固有情報に基づく前記ドアの施解錠を禁止する禁止手段を備え、
前記登録手段は、前記禁止手段によって前記登録済み携帯機の固有情報に基づく前記ドアの施解錠が禁止されている状態において前記登録操作が行われた場合、登録対象である携帯機の固有情報と、前記禁止手段により前記ドアの施解錠が禁止されている前記登録済み携帯機の固有情報とを比較し、登録対象である携帯機に前記登録済み携帯機が含まれている場合は、登録対象である携帯機を登録することを特徴とする請求項１又は２に記載のドア錠制御装置。
【請求項４】
前記登録手段は、今回の登録対象となっている携帯機の登録を完了した場合、前記記憶手段に登録されている前回の登録済み携帯機の固有情報を消去することを特徴とする請求項１〜３の何れか１項に記載のドア錠制御装置。
【発明の詳細な説明】
【技術分野】
【０００１】
本発明は、携帯機との間の無線通信に基づいてドアの施解錠を制御するドア錠制御装置に関する。
【背景技術】
【０００２】
従来、例えば車両や住宅のセキュリティシステムにおいては、セキュリティ性及び利便性の向上を目的に、携帯機との間の無線通信に基づいてドアの施解錠を制御する電子キーシステムが提案されている。
【０００３】
例えば特許文献１に示されるように、電子キーシステムは、ユーザによって所持される携帯機と、住宅のドアの内部に設けられるドア錠制御装置とを備えている。ドア錠制御装置のメモリには、携帯機に固有の固有情報が予め登録されている。ドア錠制御装置は、携帯機に対して当該携帯機固有の固有情報の送信を要求する旨のリクエスト信号をドアの周辺に出力する。ユーザが所持している携帯機は、このリクエスト信号に対する応答として自身の固有情報を出力（送信）する。そして、ドア錠制御装置は、携帯機から送信された固有情報と、予め登録されている固有情報とを比較し、それらの固有情報が一致したときに、ドアを解錠する。
【０００４】
また、このドア錠制御装置には、新たな携帯機を登録する登録モードに切り替えるための登録スイッチが設けられている。該登録スイッチが操作された場合、ドア錠制御装置は、登録対象である新たな携帯機に対してその固有情報の送信を要求する旨のリクエスト信号を出力し、この信号に応答して新たな携帯機から出力される固有情報を受信する。そして、ドア錠制御装置は、受信した固有情報を前記メモリに登録する。
【特許文献１】特開２００６−３３６４６１号公報
【発明の開示】
【発明が解決しようとする課題】
【０００５】
しかしながら、従来のドア錠制御装置では、前述したように、登録スイッチを操作するという簡単な登録操作で新たな携帯機を登録できるようになっているため、例えば正規のユーザではない第三者が登録操作を行うことによって携帯機が不正に登録されてしまうことが懸念される。
【０００６】
本発明は、こうした実情に鑑みてなされたものであって、その目的は、携帯機との間の無線通信に基づいてドアの施解錠を制御するドア錠制御装置において、携帯機の不正登録を防止してセキュリティ性を向上させることができるドア錠制御装置を提供することにある。
【課題を解決するための手段】
【０００７】
請求項１に記載の発明は、記憶手段に固有情報が予め登録された携帯機との間の無線通信に基づいて、ドアの施解錠を制御するドア錠制御装置であって、携帯機を登録する際に行われる所定の登録操作を検知する検知手段と、該検知手段により前記登録操作が検知されたとき、登録対象である携帯機の固有情報を同携帯機との間の無線通信を通じて取得して、この取得した固有情報を前記記憶手段に記憶する登録手段とを備え、登録対象である携帯機は、新規登録携帯機と登録済み携帯機とであり、該登録手段は、今回の登録対象である携帯機としての新規登録携帯機と登録済み携帯機との固有情報と、前記記憶手段に登録されている前回の登録済み携帯機の固有情報とを同時に比較し、登録対象である携帯機に前記登録済み携帯機が含まれている場合にのみ、前回の登録済み携帯機の固有情報を消去すると共に、今回の登録対象である携帯機の固有情報を前記記憶手段に記憶することをその要旨とする。
【０００８】
本発明によれば、今回の登録対象である携帯機に、記憶手段に登録されている前回の登録済み携帯機が含まれていない場合は、登録対象である携帯機が登録されないため、新たな携帯機を登録する際には、記憶手段に固有情報が予め登録されている登録済み携帯機が必要となる。このため、新たな携帯機が、登録済み携帯機を所持している正規のユーザに無断で登録されてしまうことを防止することができる。よって、登録済み携帯機を所持していない第三者による携帯機の不正登録を防止することが可能となり、セキュリティ性を向上させることができる。
【０００９】
請求項２に記載の発明は、今回の登録対象である携帯機に前回の登録済み携帯機が含まれていない場合に携帯機を登録する際に行われる強制登録操作を検知し、該強制登録操作を検知した場合は、今回の登録対象である携帯機に前記登録済み携帯機が含まれているか否かに関わらず、登録対象である携帯機の固有情報を前記記憶手段に登録する強制登録手段をさらに備えることをその要旨とする。
【００１０】
本発明によれば、強制登録手段が強制登録操作を検知した場合、今回の登録対象である携帯機に登録済み携帯機が含まれているか否かに関わらず、登録対象である携帯機の固有情報が記憶手段に登録される。このため、例えば携帯機を紛失してしまった場合等、登録済み携帯機が手元にない場合でも、ユーザは、強制登録操作を行うことにより新たな携帯機を登録することが可能となり、利便性が向上する。なお、強制登録操作を知らない第三者によって携帯機が不正に登録されてしまうことはないため、セキュリティ性は確保される。
【００１１】
請求項３に記載の発明は、前回の登録済み携帯機による前記ドアの施解錠を禁止する際に行われる禁止操作を検知するとともに、該禁止操作を検知した場合は、前記記憶手段に記憶されている前記登録済み携帯機の固有情報に基づく前記ドアの施解錠を禁止する禁止手段を備え、前記登録手段は、前記禁止手段によって前記登録済み携帯機の固有情報に基づく前記ドアの施解錠が禁止されている状態において前記登録操作が行われた場合、登録対象である携帯機の固有情報と、前記禁止手段により前記ドアの施解錠が禁止されている前記登録済み携帯機の固有情報とを比較し、登録対象である携帯機に前記登録済み携帯機が含まれている場合は、登録対象である携帯機を登録することをその要旨とする。
【００１２】
本発明によれば、禁止手段が禁止操作を検知した場合、記憶手段に固有情報が登録されている登録済み携帯機によるドアの施解錠が禁止されるため、記憶手段に記憶されている全ての携帯機の固有情報が見かけ上全て抹消された状態となる。このため、例えば携帯機を紛失してしまった場合等、登録済み携帯機が手元にない場合でも、ユーザは禁止操作を行うことによって手元にない携帯機の使用を禁止することができる。よって、ユーザの手元にない携帯機が不正に利用されてしまうことを防止することができる。また、この状態において新たな携帯機を登録する場合、登録対象である携帯機の固有情報と、禁止手段によりドアの施解錠が禁止されている登録済み携帯機の固有情報とが比較されるため、禁止操作によって使用が禁止されている携帯機を所定の登録操作によって再度登録することで、使用可能とすることができる。よって、セキュリティ性及び利便性が向上する。
【００１３】
請求項４に記載の発明は、前記登録手段は、今回の登録対象となっている携帯機の登録を完了した場合、前記記憶手段に登録されている前回の登録済み携帯機の固有情報を消去することをその要旨とする。
【００１４】
本発明によれば、新たな携帯機が登録された場合、記憶手段に登録されている登録済み携帯機の固有情報が消去されるため、前回の登録操作によって登録された登録済み携帯機を使用することができなくなる。このため、正規のユーザは、自身が所持している登録済み携帯機が使用できなくなったことに基づいて、正規のユーザではない第三者によって新たな携帯機が不正に登録されてしまったことを迅速に把握することができる。よって、不正に登録された携帯機が使用されてしまうことを未然に防ぐことができる。また、紛失した携帯機が不正に使用されることも防止できる。よって、セキュリティ性が向上する。
【発明の効果】
【００１５】
本発明によれば、携帯機の不正登録を防止してセキュリティ性を向上させることが可能なドア錠制御装置を提供することができる。
【発明を実施するための最良の形態】
【００１６】
以下、本発明のドア錠制御装置を建物のセキュリティシステムに具体化した一実施の形態を図面に従って説明する。
図１に示されるように、建物のセキュリティシステム１は、ユーザに所持される携帯機としての電子キー２と、電子キー２との間で相互無線通信を行うドア錠制御装置３とから構成されている。ドア錠制御装置３は、ドア４の内部に設けられたコントローラ５と、該コントローラ５に電気的に接続されドア４の屋外側の面に設けられた屋外アンテナユニット６とを備えている。
【００１７】
図２に示すように、コントローラ５は、略直方体状に形成されており、その１つの外側面がドア４の自由端側の側面に露出するように設けられている。コントローラ５の前記外側面には、新たな電子キー２を登録する旨のユーザの意思を検知する検知手段として、押しボタンスイッチからなる登録ボタン５ａが埋設されている。コントローラ５には、ドア４に設けられた２つの電気錠７，８が電気的に接続されている。これら電気錠７，８は、コントローラ５からの駆動信号に基づいて駆動して、それぞれ対応するデッドボルト７ａ，８ａを通じてドア４を施解錠する。なお、ドア４の屋内側の面には、手動ロック機構７ｂ，８ｂが設けられている。これら手動ロック機構７ｂ，８ｂは、一般的な屋内側施解錠用つまみである。これら手動ロック機構７ｂ，８ｂを手動で操作することによってドア４を手動で施解錠することが可能となっている。
【００１８】
また、コントローラ５には、電源コード９が接続されている。電源コード９の先端には、アダプタ９ａが設けられている。電源コード９は、ドア４の内部でコントローラ５に接続されており、そのアダプタ９ａが設けられた側の端部は、屋内側に導出されている。このアダプタ９ａを、屋内側に設けられたコンセント４ａに差し込むことで、コントローラ５に電力が供給される。
【００１９】
図３（ａ），（ｂ）に示すように、屋外アンテナユニット６は、直方体状に形成されている。屋外アンテナユニット６の外側面の上側の部位には、ＬＥＤ等からなる表示部６ａが設けられており、該外側面において表示部６ａの下側の部位には、認証部６ｂを示す目印（マーク）が設けられている。屋外アンテナユニット６の内部において前記認証部６ｂに対応する部位には、送受信アンテナ６ｃが設けられている。また、屋外アンテナユニット６の内部には、スピーカー６ｄが設けられている。
【００２０】
次に、電子キー２及びドア錠制御装置３の電気的構成について説明する。
図４に示すように、電子キー２は、ドア錠制御装置３との間で無線通信を行うためのトランスポンダ１０を備えている。トランスポンダ１０は、前記送受信アンテナ６ｃを介して出力されるトランスポンダ駆動電波を受信することにより起電力を発生し、その起電力を利用して電子キー２に固有の固有情報としてのトランスポンダコードを含む所定周波数のトランスポンダ信号を送信する。
【００２１】
同図４に示すように、ドア錠制御装置３のコントローラ５には、登録手段、強制登録手段及び禁止手段としての制御部１１が設けられている。制御部１１は、具体的には図示しないＣＰＵ、ＲＯＭ、ＲＡＭ等からなるコンピュータユニットであり、不揮発性のメモリ１１ａを備えている。なお、メモリ１１ａが記憶手段に相当する。このメモリ１１ａには、電子キー２毎に設定されたトランスポンダコードを記録可能な領域が複数設定されている。このメモリ１１ａには、当該コントローラ５が設置されているドア４の施解錠に使用可能な正規の電子キー２に固有のトランスポンダコードが予め記憶されている。なお、本実施形態では、最大で８個の電子キー２の固有情報を登録可能となっており、８個の電子キー２ａ〜２ｈのトランスポンダコードが予め登録されている。
【００２２】
制御部１１には、ドア４に設けられた電気錠７，８が電気的に接続されている。制御部１１から駆動信号が出力されると、電気錠７，８が駆動され、ドア４が施解錠される。なお、これら電気錠７，８には、ドア４が解錠状態であるか施錠状態であるかを検出するための図示しない状態検出スイッチがそれぞれ設けられている。制御部１１は、この状態検出スイッチから出力される検出信号に基づいて、ドア４が解錠状態であるか施錠状態であるかを判断する。
【００２３】
制御部１１には、前記屋外アンテナユニット６の表示部６ａが接続されている。制御部１１から解錠状態報知信号が出力されると、表示部６ａは、当該表示部６ａに設けられた図示しない解錠ランプを点灯させてドア４が解錠状態（各電気錠７，８がいずれも解錠状態の場合）である旨を報知する。また、制御部１１から施錠状態報知信号が出力されると、表示部６ａは、当該表示部６ａに設けられた図示しない施錠ランプを点灯させてドア４が施錠状態（各電気錠７，８のいずれかが施錠状態の場合）である旨を報知する。
【００２４】
また、制御部１１には、前記屋外アンテナユニット６の送受信回路１２が接続されており、該送受信回路１２には、前記送受信アンテナ６ｃが接続されている。制御部１１からトランスポンダ起動用信号が出力されると、送受信回路１２は、制御部１１から出力されるトランスポンダ起動用信号を所定周波数の電波に変換し、送受信アンテナ６ｃを介して認証部６ｂの周辺の所定領域Ａ１にトランスポンダ駆動電波を出力する（図３（ｂ）参照）。制御部１１は、トランスポンダ駆動電波を連続的に出力するようになっている。
【００２５】
また、送受信回路１２は、電子キー２から送信されたトランスポンダ信号を受信すると、それを復調して該トランスポンダ信号に対応する受信信号を生成するとともに、この生成された信号を制御部１１に出力する。制御部１１は、送受信回路１２から出力された受信信号に含まれるトランスポンダコードとメモリ１１ａに記憶されているトランスポンダコードとの比較を行う。そして、該受信信号に含まれるトランスポンダコードがメモリ１１ａに記憶されているトランスポンダコードのいずれかと一致し照合が成立した場合、制御部１１は、電気錠７，８に対して駆動信号を出力する。例えば、ドア４が施錠されている場合、制御部１１はドア４を解錠すべく電気錠７，８に駆動信号を出力する。一方、ドア４が解錠されている場合、制御部１１は、ドア４を施錠すべく電気錠７，８に駆動信号を出力する。
【００２６】
また、制御部１１には、音声回路１３を介して、前記屋外アンテナユニット６のスピーカー６ｄが電気的に接続されている。音声回路１３は、制御部１１から出力される現在登録されている電子キー２ａ〜２ｈの個数や、電子キー２の登録手順等をアナウンスする旨の制御信号に基づいて音声信号を生成し、スピーカー６ｄから音声を発生させる。
【００２７】
また、制御部１１には、コントローラ５に設けられた登録ボタン５ａが電気的に接続されている。制御部１１は、登録ボタン５ａを通じて、電子キー２を登録する際にユーザによって行われる所定の登録操作を検知する。本実施の形態では、ドア錠制御装置３の通常の動作時において登録ボタン５ａが長押し（例えば３秒以上）された場合、制御部１１は、ユーザによって登録操作が行われたと判断する。そして、登録操作が検知された場合、制御部１１は、登録対象である電子キー２の固有情報を同電子キー２との間の無線通信を通じて取得して、この取得した固有情報をメモリ１１ａに記憶する。その際、制御部１１は、今回の登録対象である電子キー２の固有情報と、メモリ１１ａに登録されている前回の登録済み電子キー２の固有情報とを比較し、登録対象である電子キー２に登録済み電子キー２が含まれている場合にのみ、登録対象である電子キー２の固有情報をメモリ１１ａに記憶する。
【００２８】
また、制御部１１は、登録ボタン５ａを通じて、メモリ１１ａに固有情報が登録されている登録済み電子キー２がない場合、即ち、今回の登録対象である電子キー２に前回の登録済み電子キー２が含まれていない場合に新たな電子キー２を登録する際にユーザによって行われる強制登録操作を検知する。本実施の形態では、ドア錠制御装置３の通常の動作時において、所定の時間（例えば２０秒間）内に所定の回数（例えば５回）だけドア４が開閉されてから所定時間（例えば３０秒間）の間に登録ボタン５ａが長押し（例えば、３秒以上）された場合、制御部１１は強制登録操作が行われたと判断する。そして、該強制登録操作を検知した場合、制御部１１は、登録対象である電子キー２に登録済み電子キー２が含まれているか否かに関わらず、登録対象である電子キー２の固有情報をメモリ１１ａに登録する。
【００２９】
また、制御部１１は、登録ボタン５ａを通じて、メモリ１１ａに固有情報が登録されている前回の登録済み電子キー２によるドア４の施解錠を禁止する際にユーザによって行われる禁止操作を検知する。本実施の形態では、ドア錠制御装置３の通常の動作時において登録ボタン５ａが長押し（例えば３秒以上）された後、再度登録ボタン５ａが押された場合、制御部１１は、ユーザによって禁止操作が行われたと判断する。そして、該禁止操作を検知した場合、制御部１１は、メモリ１１ａに記憶されている登録済み電子キー２の固有情報に基づくドア４の施解錠を禁止する。
【００３０】
また、制御部１１は、このようにメモリ１１ａに記憶されている登録済み電子キー２の固有情報に基づくドア４の施解錠が禁止されている状態において前記通常の登録操作が行われた場合、登録対象である電子キー２の固有情報と、ドア４の施解錠が禁止されている登録済み電子キー２の固有情報とを比較し、登録対象である電子キー２に登録済み電子キー２が含まれている場合は、登録対象である電子キー２を登録する。
【００３１】
また、制御部１１は、今回の登録対象となっている電子キー２の登録を完了した場合、メモリ１１ａに登録されている登録済み電子キー２の固有情報を消去する。
次に、このように構成されたドア錠制御装置３による基本的な施解錠動作について説明する。
【００３２】
ドア錠制御装置３の制御部１１は、屋外アンテナユニット６の送受信アンテナ６ｃから認証部６ｂの周辺の所定領域Ａ１に対して、トランスポンダ駆動電波を連続的に出力する。このトランスポンダ駆動電波は、ドア錠制御装置３の動作中、常時出力される。
【００３３】
電子キー２は、ユーザによってトランスポンダ駆動電波を受信可能な所定領域Ａ１に配置されトランスポンダ駆動電波を受信すると、トランスポンダ信号を自動送信する。具体的には、送受信回路１２は、トランスポンダ駆動電波を、屋外アンテナユニット６の認証部６ｂを中心とした半径２ｃｍ〜５ｃｍの領域に送信する。ユーザによって電子キー２が認証部６ｂにかざされると、当該電子キー２がトランスポンダ駆動電波を受信し、同電子キー２に誘導起電力が発生する。この起電力により、電子キー２のトランスポンダ１０が駆動され、電子キー２からトランスポンダ信号が自動的に出力（送信）される。
【００３４】
コントローラ５の制御部１１は、このトランスポンダ信号を送受信アンテナ６ｃによって受信し、同信号に含まれるトランスポンダコードとメモリ１１ａに記録されたトランスポンダコードとを照合する。そして、それらコード同士が一致した場合、制御部１１は、電気錠７，８に対して駆動信号を出力して、ドア４を解錠させる。このため、ドア４は、ユーザによって電子キー２が屋外アンテナユニット６の認証部６ｂにかざされるだけで自動的に解錠される。一方、ドア４の解錠後、ドア４が一旦開かれた後に閉じられた場合や、解錠された状態で所定の待ち時間だけ経過した場合、制御部１１は、電気錠７，８に対して駆動信号を出力して、ドア４を自動的に施錠させる。すなわち、ユーザは、電子キー２を認証部６ｂにかざすといった簡単な操作を行うだけでドア４を施解錠することができる。なお、制御部１１は、ドア４の解錠時及び施錠時に、前記表示部６ａに対して各種報知信号を出力し、同表示部６ａの解錠ランプ若しくは施錠ランプを点灯させてドア４が解錠または施錠されたことを報知する。従って、ユーザは該表示部６ａを通じてドア４が解錠状態にあるか施錠状態にあるかを判別することができる。
【００３５】
ところで、電子キー２によってドア４を自動的に施解錠させるためには、電子キー２のトランスポンダコードを、コントローラ５（正確には、制御部１１のメモリ１１ａ）に予め登録しておく必要がある。次に、ドア錠制御装置３の登録動作を図５に示すフローチャートに従って説明する。このフローチャートの処理は、制御部１１のメモリ１１ａに予め格納されたプログラムにより実行される。ドア錠制御装置３が通常に動作している間、制御部１１はこの処理を繰り返し実行する。
【００３６】
図５のフローチャートに示されるように、ドア錠制御装置３の通常の動作時において登録ボタン５ａが長押し（例えば３秒以上）された場合、制御部１１は、ステップ１０１において、ユーザによって登録操作が行われたと判断する。ステップ１０１においてユーザによる登録操作を検知すると、制御部１１は、屋外アンテナユニット６のスピーカー６ｄから、現在登録されている電子キー２ａ〜２ｈの個数と、電子キー２の登録を開始する旨と、電子キー２の登録手順と、現在登録されている電子キー２ａ〜２ｈの使用を禁止する（抹消する）ための手順とをアナウンスし、ステップ１０２に移行する。一方、ステップ１０１において登録ボタン５ａが長押しされていないと判断した場合、制御部１１は、ユーザによる登録操作が行われていないと判断し、本処理を終了する。
【００３７】
次に、ステップ１０２において、制御部１１は、登録ボタン５ａが再度押されたか否かを判断する。ステップ１０２において登録ボタン５ａが再度押されていないと判断した場合、制御部１１は、ユーザによって禁止操作が行われていないと判断し、ステップ１０３に移行する。一方、ステップ１０２において登録ボタン５ａが再度押されたと判断した場合、制御部１１は、ユーザによって禁止操作が行われたと判断し、ステップ１０４に移行する。そして、ステップ１０４において、制御部１１は、メモリ１１ａに記憶されている登録済み電子キー２ａ〜２ｈの固有情報に基づくドア４の施解錠を禁止し、本処理を終了する。これにより、メモリ１１ａに記憶されている全ての電子キー２ａ〜２ｈの固有情報が見かけ上全て抹消された状態となり、例えば電子キー２ａ〜２ｈを紛失してしまった場合等、登録済み電子キー２ａ〜２ｈが手元にない場合でも、ユーザは禁止操作を行うことによって手元にない電子キー２ａ〜２ｈの使用を禁止することができる。
【００３８】
ステップ１０３において、制御部１１は、登録ボタン５ａが長押しされてから所定の待ち時間が経過したか否かを判断する。ステップ１０３において所定の待ち時間が経過したと判断した場合、制御部１１は、本処理を終了する。一方、ステップ１０３において所定の待ち時間が経過していないと判断した場合、制御部１１は、ステップ１０５に移行し、トランスポンダ信号を受信したか否かを判断する。
【００３９】
ステップ１０５においてトランスポンダ信号を受信したと判断した場合、制御部１１は、ステップ１０６に移行し、受信したトランスポンダ信号に含まれるトランスポンダコードを取得してステップ１０７に移行する。一方、ステップ１０５においてトランスポンダ信号を受信していないと判断した場合、制御部１１は、ステップ１０３に移行する。即ち、制御部１１は、登録操作が行われてから所定の待ち時間の間にトランスポンダ信号を受信しなかった場合、本処理を終了する。このため、例えばユーザに新たな電子キー２を登録する意思がない場合等、ユーザによる登録操作が行われてから所定の待ち時間の間に屋外アンテナユニット６の認証部６ｂに電子キー２がかざされなかった場合、制御部１１は、本処理を自動的に終了する。
【００４０】
ステップ１０７において、制御部１１は、登録ボタン５ａが押されたか否かを判断する。登録ボタン５ａが押されていないと判断した場合、制御部１１は、他の電子キー２を認証部６ｂにかざすよう促す旨のアナウンスをするとともに、ステップ１０３に移行する。即ち、制御部１１は登録ボタン５ａが押されるまでの間、登録対象である電子キー２の固有情報を繰り返し取得する。
【００４１】
ステップ１０７において、登録ボタン５ａが押されたと判断した場合、制御部１１はステップ１０８に移行し、登録対象である電子キー２に前記登録済み電子キー２ａ〜２ｈが含まれているか否かを判断する。具体的には、制御部１１は、取得した登録対象である電子キー２の固有情報とメモリ１１ａに記憶されている登録済み電子キー２ａ〜２ｈの固有情報とを比較する。そして、図６（ａ）に示すように、登録対象である電子キー２ｆ，２ｉ〜２ｏの固有情報にメモリ１１ａに記憶されている登録済み電子キー２ａ〜２ｈ（この場合１つの電子キー２ｆ）の固有情報が含まれている場合、制御部１１は、登録対象である電子キー２ｆ，２ｉ〜２ｏに登録済み電子キー２ａ〜２ｈが含まれていると判断する。逆に、図６（ｂ）に示すように、登録対象である電子キー２ｉ〜２ｐの固有情報にメモリ１１ａに記憶されている登録済み電子キー２ａ〜２ｈの固有情報が含まれていない場合、制御部１１は、登録対象である電子キー２ｉ〜２ｐに前記登録済み電子キー２ａ〜２ｈが含まれていないと判断する。
【００４２】
図５に示すように、ステップ１０８において、登録対象である電子キー２に登録済み電子キー２ａ〜２ｈが含まれていると判断した場合、制御部１１は、ステップ１０９に移行し、メモリ１１ａに記憶されている登録済み電子キー２ａ〜２ｈの固有情報を消去すると共に、取得した電子キー２の固有情報をメモリ１１ａに記憶して本処理を終了する。これにより、登録対象である電子キー２が登録される。一方、ステップ１０８において、登録対象である電子キー２に登録済み電子キー２ａ〜２ｈが含まれていないと判断した場合、制御部１１は、ステップ１１０に移行し、取得した電子キー２の固有情報をメモリ１１ａに記憶することなく消去するとともに、スピーカー６ｄから電子キー２の登録を中止（キャンセル）する旨のアナウンスをし、本処理を終了する。即ち、図６（ａ）に示すように、登録対象である電子キー２ｆ，２ｉ〜２ｏにメモリ１１ａに登録されている登録済み電子キー２ａ〜２ｈが含まれている場合にのみ、登録対象である電子キー２ｆ，２ｉ〜２ｏが登録される。このため、同図６（ｂ）に示すように、登録対象である電子キー２ｉ〜２ｐにメモリ１１ａに登録されている登録済み電子キー２ａ〜２ｈが含まれていない場合は、登録対象である電子キー２ｉ〜２ｐが登録されない。従って、新たな電子キー２を登録する際には、メモリ１１ａに固有情報が予め登録されている登録済み電子キー２ａ〜２ｈが必要となる。このため、新たな電子キー２が、登録済み電子キー２ａ〜２ｈを所持している正規のユーザに無断で登録されてしまうことを防止することができる。よって、登録済み電子キー２ａ〜２ｈを所持していない第三者による電子キー２の不正登録を防止することができる。
【００４３】
なお、上述したステップ１０４の処理により登録済み電子キー２ａ〜２ｈの固有情報に基づくドア４の施解錠が禁止されている状態において登録操作が行われた場合、前述と同様の処理を行い、ステップ１０８において制御部１１は、登録対象である電子キー２の固有情報と、ドア４の施解錠が禁止されている登録済み電子キー２ａ〜２ｈの固有情報とを比較する。そして、登録対象である電子キー２に登録済み電子キー２ａ〜２ｈが含まれている場合、制御部１１は、登録対象である電子キー２を登録する。これにより、禁止操作によって使用が禁止されている電子キー２（２ａ〜２ｈ）を、所定の登録操作によって再度登録し、使用可能とすることができる。
【００４４】
次に、ドア錠制御装置３の緊急登録動作を図７に示すフローチャートに従って説明する。このフローチャートの処理は、図５に示したフローチャートの処理と同様、制御部１１のメモリ１１ａに予め格納されたプログラムにより実行される。
【００４５】
図７のフローチャートに示されるように、ドア錠制御装置３の通常の動作時において、所定の時間内に所定の回数だけドア４が開閉されてから所定時間の間に登録ボタン５ａが長押しされた場合、制御部１１は、ステップ２０１において、ユーザによって強制登録操作が行われたと判断する。ステップ２０１においてユーザによる強制登録操作を検知すると、制御部１１は、屋外アンテナユニット６のスピーカー６ｄから、現在登録されている電子キー２ａ〜２ｈの個数と、電子キー２の登録を開始する旨と、電子キー２の登録手順とをアナウンスし、ステップ２０２に移行する。一方、ステップ２０１においてコントローラ５に電力が供給されてから所定時間の間に登録ボタン５ａが長押しされていないと判断した場合、制御部１１は、ユーザによる強制登録操作が行われていないと判断し、本処理を終了する。
【００４６】
次に、ステップ２０２において、登録ボタン５ａが長押しされてから所定の待ち時間が経過したか否かを判断する。ステップ２０２において、所定の待ち時間が経過していないと判断した場合、制御部１１は、ステップ２０３に移行し、トランスポンダ信号を受信したか否かを判断する。一方、ステップ２０２において、所定の待ち時間が経過したと判断した場合、制御部１１は、本処理を終了する。
【００４７】
ステップ２０３において、トランスポンダ信号を受信したと判断した場合、制御部１１は、ステップ２０４に移行し、受信したトランスポンダ信号に含まれるトランスポンダコードを取得しステップ２０５に移行する。一方、ステップ２０３において、トランスポンダ信号を受信していないと判断した場合、制御部１１は、ステップ２０２に移行する。即ち、制御部１１は、強制登録操作が行われてから所定の待ち時間の間にトランスポンダ信号を受信しなかった場合、本処理を終了する。このため、例えばユーザに新たな電子キー２を登録する意思がない場合等、ユーザによる強制登録操作が行われてから所定の待ち時間の間に屋外アンテナユニット６の認証部６ｂに電子キー２がかざされなかった場合、制御部１１は、本処理を自動的に終了する。
【００４８】
次に、ステップ２０５において、制御部１１は、登録ボタン５ａが押されたか否かを判断する。登録ボタン５ａが押されていないと判断した場合、他の電子キー２を認証部６ｂにかざすよう促す旨のアナウンスをするとともに、ステップ２０２に移行する。即ち、制御部１１は登録ボタン５ａが押されるまでの間、登録対象である電子キー２の固有情報を繰り返し取得する。
【００４９】
ステップ２０５において、登録ボタン５ａが押されたと判断した場合、制御部１１はステップ２０６に移行し、メモリ１１ａに記憶されている登録済み電子キー２ａ〜２ｈの固有情報を消去すると共に、取得した電子キー２の固有情報をメモリ１１ａに記憶して本処理を終了する。即ち、登録対象である電子キー２に登録済み電子キー２ａ〜２ｈが含まれているか否かに関わらず、登録対象である電子キー２の固有情報がメモリ１１ａに登録される。このため、例えば電子キー２を紛失してしまった場合等、登録済み電子キー２ａ〜２ｈが手元にない場合でも、ユーザは、強制登録操作を行うことにより、即ち、アダプタ９ａをコンセント４ａから引き抜いて再度差し込むことにより新たな電子キー２を登録することが可能となり、利便性が向上する。なお、強制登録操作を知らない第三者によって電子キー２が不正に登録されてしまうことはないため、セキュリティ性は確保される。
【００５０】
次に、上記実施の形態の作用効果を以下に記載する。
（１）コントローラ５の制御部１１は、今回の登録対象である電子キー２の固有情報と、メモリ１１ａに登録されている前回の登録済み電子キー２ａ〜２ｈの固有情報とを比較し、登録対象である電子キー２に登録済み電子キー２ａ〜２ｈが含まれている場合にのみ、登録対象である電子キー２の固有情報をメモリ１１ａに記憶する。従って、登録対象である電子キー２にメモリ１１ａに登録されている登録済み電子キー２ａ〜２ｈが含まれていない場合は、登録対象である電子キー２が登録されないため、新たな電子キー２を登録する際には、メモリ１１ａに固有情報が予め登録されている登録済み電子キー２ａ〜２ｈの少なくとも１つが必要となる。このため、新たな電子キー２が、登録済み電子キー２ａ〜２ｈを所持している正規のユーザに無断で登録されてしまうことを防止することができる。よって、登録済み電子キー２ａ〜２ｈを所持していない第三者による電子キー２の不正登録を防止することが可能となり、セキュリティ性を向上させることができる。
【００５１】
（２）強制登録操作を検知した場合、制御部１１は、今回の登録対象である電子キー２に登録済み電子キー２ａ〜２ｈが含まれているか否かに関わらず、登録対象である電子キー２の固有情報をメモリ１１ａに登録する。このため、例えば電子キー２を紛失してしまった場合等、登録済み電子キー２ａ〜２ｈが手元にない場合でも、ユーザは、強制登録操作を行うことにより新たな電子キー２を登録することが可能となり、利便性が向上する。なお、強制登録操作を知らない第三者によって電子キー２が不正に登録されてしまうことはないため、セキュリティ性は確保される。
【００５２】
（３）禁止操作を検知した場合は、制御部１１は、メモリ１１ａに記憶されている前回の登録済み電子キー２ａ〜２ｈの固有情報に基づくドア４の施解錠を禁止する。このため、例えば電子キー２を紛失してしまった場合等、登録済み電子キー２ａ〜２ｈが手元にない場合でも、ユーザは禁止操作を行うことによって手元にない電子キー２の使用を禁止することができる。よって、ユーザの手元にない電子キー２が不正に利用されてしまうことを防止することができる。また、この状態において登録操作が行われた場合、制御部１１は、登録対象である電子キー２の固有情報と、禁止手段によりドア４の施解錠が禁止されている登録済み電子キー２ａ〜２ｈの固有情報とを比較し、登録対象である電子キー２に登録済み電子キー２ａ〜２ｈが含まれている場合は、登録対象である電子キー２を登録する。このため、禁止操作によって使用が禁止されている電子キー２を所定の登録操作によって再度登録することで、使用可能とすることができる。よって、セキュリティ性及び利便性が向上する。
【００５３】
（４）コントローラ５の制御部１１は、今回の登録対象となっている電子キー２の登録を完了した場合、メモリ１１ａに登録されている登録済み電子キー２ａ〜２ｈの固有情報を消去する。従って、前回の登録操作によって登録された登録済み電子キー２ａ〜２ｈを使用することができなくなる。このため、正規のユーザは、自身が所持している登録済み電子キー２ａ〜２ｈが使用できなくなったことに基づいて、正規のユーザではない第三者によって新たな電子キー２が不正に登録されてしまったことを迅速に把握することができる。よって、不正に登録された電子キー２が使用されてしまうことを未然に防ぐことができる。また、紛失した電子キー２が不正に使用されることも防止できる。よって、セキュリティ性が向上する。
【００５４】
なお、本実施の形態は、以下のように変更してもよい。
・上記実施の形態では、ドア錠制御装置３の通常の動作時において、所定の時間内に所定の回数だけドア４が開閉されてから所定時間の間に登録ボタン５ａが長押しされた場合、制御部１１は強制登録操作が行われたと判断するようにしたが、このような態様に限定されない。例えば、ドア錠制御装置３の通常の動作時において、所定の時間内に所定の回数だけドア４が施解錠されてから所定時間の間に登録ボタン５ａが長押しされた場合、制御部１１は強制登録操作が行われたと判断するようにしてもよい。また、例えば、ドア錠制御装置３の通常の動作時において、登録済み電子キー２でドア４が解錠されてから所定時間の間に登録ボタン５ａが長押しされた場合、制御部１１は強制登録操作が行われたと判断するようにしてもよい。また、例えば、ドア錠制御装置３の通常の動作時において、所定の時間内に所定の回数だけ登録ボタン５ａが押されてから所定時間の間に登録ボタン５ａが長押しされた場合、制御部１１は強制登録操作が行われたと判断するようにしてもよい。また、上述した複数の操作を組み合わせ、該操作が行われてから所定時間の間に登録ボタン５ａが長押しされた場合、制御部１１は強制登録操作が行われたと判断するようにしてもよい。なお、各所定時間は、短いほどセキュリティ性が向上すると考えられる。また、各所定時間は、ユーザによって設定可能に構成されていてもよい。
【００５５】
・上記実施の形態では、登録ボタン５ａの操作により登録操作、禁止操作及び強制登録操作を検知するようにしたが、このような態様に限定されない。例えば、コントローラ５にマイクを設け、該マイクによってユーザの声を検知することで各操作を検知するようにしてもよい。また、上述したドア４の開閉操作や、ドア４の施解錠操作等を検知することで各操作を検知するようにしてもよく、適宜変更可能である。
【００５６】
・上記実施の形態では、強制登録操作を検知した場合、登録対象である電子キー２に登録済み電子キー２が含まれているか否かに関わらず、登録対象である電子キー２の固有情報をメモリ１１ａに登録するようにしたが、この機能を省略してもよい。また、禁止操作を検知するとともに、該禁止操作を検知した場合は、メモリ１１ａに記憶されている登録済み電子キー２の固有情報に基づくドア４の施解錠を禁止したが、この機能を省略してもよい。また、上記実施の形態では、今回の登録対象となっている電子キー２の登録を完了した場合、メモリ１１ａに登録されている登録済み電子キー２の固有情報を消去するようにしたが、この機能を省略してもよい。なお、この場合、例えばメモリ１１ａに登録されている電子キー２の内、古い電子キー２から順に消去するようにしてもよい。
【００５７】
・上記実施の形態では、電子キー２に、屋外アンテナユニット６からのトランスポンダ駆動電波を受信することにより駆動するトランスポンダ１０を設けたが、このような態様に限定されない。例えば、電子キー２に同電子キー２に内蔵された電池によって駆動する通信回路を設ける。そして、屋外アンテナユニット６からドア４の周辺（前記所定領域Ａ１よりも広い領域）に送信されたリクエスト信号を受信した電子キー２が、該リクエスト信号に対する応答信号として当該電子キー２に固有のＩＤコードを含むＩＤコード信号を送信するようにしてもよい。このようにすれば、電子キー２を認証部６ｂにかざさなくてもドア４を施解錠することができるため、利便性が向上する。また、例えばドア４の屋外側にキーシリンダを設け、電子キー２にメカニカルキーを収容するキー収容部を設けてもよい。
【００５８】
・上記実施の形態では、コントローラ５をドア４の内部に設けたが、このような態様に限定されず、ドア４の付近に設けてもよい。
・上記実施の形態では、手動ロック機構７ｂ，８ｂを設けたが、省略してもよい。また、電気錠７，８及び手動ロック機構７ｂ，８ｂをそれぞれ２つずつ設けたが、１つのみ設けてもよく、また、３つ以上設けてもよい。
【００５９】
・上記実施の形態では、登録ボタン５ａをコントローラ５に設けたが、このような態様に限定されない。例えば、屋内に設けられた屋内操作盤に登録ボタン５ａを設けてもよい。また、屋外アンテナユニット６を屋内に設け、屋内側で電子キー２を登録するようにしてもよい。
【００６０】
・上記実施の形態では、住宅用の電子キーシステムに具体化したが、車両との無線通信を通じてドア４を施錠・解錠する電子キーシステムに具体化してもよい。
【図面の簡単な説明】
【００６１】
【図１】ドアを屋外側から見た概略斜視図。
【図２】ドアを屋内側から見た概略斜視図。
【図３】（ａ）は屋外アンテナユニットの正面図、（ｂ）は同屋外アンテナユニットの側面図。
【図４】電子キーシステムの概略構成を示すブロック図。
【図５】登録操作が行われた場合の動作を説明するためのフローチャート。
【図６】（ａ）及び（ｂ）は、本発明の作用を説明するための説明図。
【図７】強制登録操作が行われた場合の動作を説明するためのフローチャート。
【符号の説明】
【００６２】
２…携帯機としての電子キー、３…ドア錠制御装置、４…ドア、５ａ…検知手段としての登録ボタン、１１…登録手段、強制登録手段及び禁止手段としての制御部、１１ａ…記憶手段としてのメモリ。
【図１】
0005358119.tif 000002
【図２】
0005358119.tif 000003
【図３】
0005358119.tif 000004
【図４】
0005358119.tif 000005
【図５】
0005358119.tif 000006
【図６】
0005358119.tif 000007
【図７】
0005358119.tif 000008